(57)【要約】【課題】取付面の部材の厚さが小さくても確実に取り付けることができる照明器具を提供する。【解決手段】灯具２０から離れる方向に突出する第１部材４１と、第１部材４１の先端に接続されて照射方向前方に向かうとともに前端が光軸ＢＭに近付く第２部材４２と、を有する。第１部材４１は、灯具２０に対して径方向に沿って移動可能であり、第２部材４２の内側には、第１部材４１を拡径する方向に付勢するＣ字状の取付ばね４４が設けられている。このため、第１部材４１は灯具２０から径方向に離れる方向に付勢されており、その結果第２部材４２は、前端が光軸ＢＭに近づくように傾斜した状態で灯具２０から径方向に離れる。これにより、第２部材４２は、取付面１１に設けられた取付孔１２の内周面上端部を押圧するので、取付面１１の部材の厚さが小さくても確実に取り付けることができる。【選択図】図３
2014154319.tif 000002
【特許請求の範囲】
【請求項１】
光軸に対して交差するとともに、灯具から離れる方向に突出する第１部材と、
前記第１部材の先端に接続され、照射方向前方に向かうとともに前端が光軸に近付く第２部材と、を有し、
前記第１部材は、前記灯具に対して径方向に沿って移動可能であり、
前記第１部材を拡径する方向に付勢すべく前記第２部材の内側に配置されるＣ字状の取付ばねと、を有する照明器具。
【請求項２】
請求項１に記載の照明器具において、
前記第２部材に前記取付ばねを係止する係止部を設けた照明器具。
【請求項３】
請求項１または請求項２に記載の照明器具において、
前記取付ばねの端部にＬ字状の折曲部を設けた照明器具。
【発明の詳細な説明】
【技術分野】
【０００１】
本発明は、天井等の取付面に設けられた取付孔に埋め込んで取り付ける照明器具に関するものである。
【背景技術】
【０００２】
従来、天井等の取付面に設けられた取付孔に埋め込んで取り付けるダウンライト等の照明器具が知られている（例えば、特許文献１参照）。
図９に示すように、特許文献１に記載の照明器具１００は、灯具１０１を有し、灯具１０１の外側には器具本体１０２が設けられている。器具本体１０２には、取付ばね１０３が取り付けられている。
【０００３】
取付ばね１０３は、長尺状の板材を屈曲して形成されており、支持片部１０４と、取付ばね片部１０５と、付勢部１０６とからなる。取付ばね片部１０５は、支持片部１０４に連続し、付勢部１０６を介して一体的に形成されている。
取付ばね片部１０５は、垂直片部１０７と、この垂直片部１０７の下端部からＶ字状に折り返されたばね部１０８とからなる。
灯具１０１の下端にはフランジ部１０９が設けられている。
従って、フランジ部１０９とばね部１０８との間に天井等を挟持することにより、照明器具１００を天井面に取り付ける。
【先行技術文献】
【特許文献】
【０００４】
【特許文献１】特開平６−２９０６２３号公報（第１図）
【発明の概要】
【発明が解決しようとする課題】
【０００５】
しかしながら、前述したような従来の照明器具１００においては、フランジ部１０９とばね部１０８との間に天井等を挟持して取り付けるため、天井材等の厚みが一定以下の場合には、確実に取り付けることが困難な場合があるという問題があった。
【０００６】
本発明は、従来の問題を解決するためになされたもので、取付面の部材の厚さが小さくても確実に取り付けることができる照明器具を提供することを目的とする。
【課題を解決するための手段】
【０００７】
本発明の照明器具は、光軸に対して交差するとともに、灯具から離れる方向に突出する第１部材と、前記第１部材の先端に接続され、照射方向前方に向かうとともに前端が光軸に近付く第２部材と、を有し、前記第１部材は、前記灯具に対して径方向に沿って移動可能であり、前記第１部材を拡径する方向に付勢すべく前記第２部材の内側に配置されるＣ字状の取付ばねと、を有するものである。
【０００８】
また、本発明の照明器具は、前記第２部材に前記取付ばねを係止する係止部を設けたものである。
【０００９】
さらに、本発明の照明器具は、前記取付ばねの端部にＬ字状の折曲部を設けたものである。
【発明の効果】
【００１０】
本発明では、灯具から離れる方向に突出する第１部材が、灯具から径方向に離れる方向に付勢されている。その結果、第１部材の先端に接続されて照射方向前方に向かうとともに前端が光軸に近付くように傾斜した第２部材は、取付面に設けられた取付孔の内周面上端部を押圧する。これにより、取付面の部材の厚さが小さくても確実に取り付けることができるという効果を有する照明器具を提供できる。
【図面の簡単な説明】
【００１１】
【図１】本発明に係る実施形態の照明器具を取り付けた状態の側面図
【図２】本発明に係る実施形態の照明器具を上方から見た斜視図
【図３】本発明に係る実施形態の照明器具を上方から見た分解斜視図
【図４】本発明に係る実施形態の照明器具を下方から見た分解斜視図
【図５】図１中Ｖ部分の拡大図
【図６】枠体を上方から見た斜視図
【図７】ばね受け金具の拡大斜視図
【図８】（Ａ）ないし（Ｄ）は照明器具の取付工程を示す側面図および断面図
【図９】従来の照明器具を上方から見た斜視図
【発明を実施するための形態】
【００１２】
以下、本発明に係る実施形態の照明器具について、図面を用いて説明する。
図１に示すように、本発明に係る実施形態の照明器具１０は、取付面である例えば天井面１１（天井材１１１）に設けられている取付孔１２に埋め込んで取付け、主に下方を照らすダウンライトとして用いることができる。
なお、以下の説明においては、天井面１１側を「上」、床側を「下」と云うこととする。また、照射方向を「前」として説明することとする。
【００１３】
図１および図２に示すように、照明器具１０は、ＬＥＤ２２等の光源を有する灯具２０と、灯具２０の前方（下側）に取り付けられる枠体３０を有する。
照明器具１０は、枠体３０に設けられている取付金具４０によって、天井面１１の取付孔１２に固定される。
【００１４】
図３および図４に示すように、灯具２０は、下方に開口（開口２１１）した円柱形状の灯具本体２１を有する。灯具本体２１の内部には、ＬＥＤ２２および反射板２３等が設けられている。
図１に示すように、灯具本体２１の上面２１２には、複数枚の板状をした放熱板２４が、ねじ２１３で取り付けられている。放熱板２４の基部２４１は、灯具本体２１の上面２１２に面接触している。
これにより、ＬＥＤ２２等が発した熱を、灯具本体２１から放熱板２４に伝達し、放熱板２４から放熱している。
【００１５】
図３および図４に示すように、枠体３０は、下方に開口（開口３１１）した円柱形状をした枠体本体３１を有する。枠体３０は、例えば、厚さ１ｍｍ程度の鋼板で形成することができる。枠体本体３１には、２枚の連結板３５が上方に突出して設けられている。連結板３５の上部には、ねじ用の貫通孔３５１が設けられている。
【００１６】
図６にも示すように、枠体本体３１の下端部には、開口３１１から外側に突出する鍔部３２が設けられている。鍔部３２は、外周端が上方に折曲げられてリブ３２１が形成されている。照明器具１０を取付孔１２に取り付けた際に、リブ３２１の上端が天井面１１に当接する（図５参照）。
枠体本体３１の上端部には、中央に灯具本体２１の開口２１１に対応した大きさの開口３３１を有する天板３３が取り付けられている。
従って、ＬＥＤ２２から発せられた光は、開口３３１を通って枠体３０内に照射され、さらに開口３１１から下方へ照射される。
また、天板３３の上面には、上方に突出する３本のスタッドビス３４が取り付けられている。
【００１７】
図３および図４に示すように、枠体本体３１の外側には、複数個（ここでは、例えば３個）取付金具４０が取り付けられている。取付金具４０は、枠体本体３１の周方向に均等な間隔で配置されている。
【００１８】
図７にも示すように、取付金具４０は、帯状の板金（例えば、厚さ１．２ｍｍ程度の亜鉛鋼板）を折曲げて形成された第１部材４１および第２部材４２を有する。
第１部材４１は、光軸ＢＭ（図１参照）に対して交差するとともに、灯具２０から離れる方向に突出する。第１部材４１には、灯具２０の径方向に沿って長孔４１１が設けられている。
【００１９】
第２部材４２は、第１部材４１の先端に接続され、照射方向前方（下方）に向かうとともに前端が光軸ＢＭに近付くように傾斜している。従って、第１部材４１と第２部材４２の交差角度θは、鋭角となっている。
また、第２部材４２の幅方向両端には、内側（すなわち、第１部材４１側）に折曲げられて係止部４３が設けられている。
【００２０】
図３および図４に示すように、取付金具４０には、例えば直径２ｍｍのばね材をＣ字状に形成した取付ばね４４が設けられている。従って、取付ばね４４の両端の間には、無負荷状態で隙間４４２が設けられる。
取付ばね４４の両端は、取付ばね４４の面に直行する方向にＬ字状に折曲げて、折曲部４４１が形成されている。
【００２１】
次に、照明器具１０の組立て手順の一例について説明する。
まず、図５に示すように、枠体３０に取付金具４０を取り付ける。すなわち、枠体３０のスタッドビス３４に、第１部材４１の長孔４１１を嵌める。そして、スタッドビス３４にばね座金３６およびナット３７を取り付けてナット３７を締付ける（図３参照）。
このとき、ばね座金３６を用いることにより、第１部材４１の移動を妨げないようにすることができる。これにより、第１部材４１は、灯具の径方向に沿って移動可能に支持される。
【００２２】
次いで、取り付けた取付金具４０の内側に取付ばね４４を挿入する。このとき、取付ばね４４を鍔部３２の上面側から取付金具４０の下側に配置し、取付ばね４４の一対の折曲部４４１を指でつまんで、縮める。
この状態で、取付ばね４４を枠体本体３１の外周面に沿って上方へ移動させ、取付ばね４４が第１部材４１の下面に当接したら、指を放して取付ばね４４を解放する。
これにより、取付ばね４４が膨らんで、第２部材４２の内側において係止部４３の上側に係止される。
【００２３】
次いで、枠体３０の連結板３５を灯具２０に連結する。
すなわち、連結板３５の貫通孔３５１にねじ３５２を通し、灯具本体２１の外周面に設けられているねじ孔２１４に締結する。これにより、灯具本体２１と枠体３０を一体化させ、照明器具１０が組立てられる。
【００２４】
次に、照明器具１０を天井面１１の取付孔１２に取り付ける手順について説明する。
図８（Ａ）に示すように、天井面１１の取付孔１２の真下に照明器具１０を持ってくる。
図８（Ｂ）に示すように、取付金具４０の第２部材４２を中心側へ押し込んで（矢印Ａ参照）、灯具２０を取付孔１２に下側から挿入する（矢印Ｂ参照）。
図８（Ｃ）に示すように、第２部材４２の上端部が取付孔１２に挿入されたら、第２部材４２から手を放して解放する。第２部材４２は、取付ばね４４の復帰力により、外側へ拡がり、取付孔１２の内面に押し付けられる。
最後に、図８（Ｄ）に示すように、照明器具１０を上方へ押し込むと、取付ばね４４の復帰力により第２部材４２がさらに外側に押されて拡がる。そして、鍔部３２が天井面１１に当接し、鍔部３２と第２部材４２の間に天井材１１１が挟持されて、照明器具１０が取付孔１２に取り付けられる。
【００２５】
本発明の照明器具１０の作用効果について説明する。
灯具２０から離れる方向に突出する第１部材４１と、第１部材４１の先端に接続されて照射方向前方に向かうとともに前端が光軸ＢＭに近付く第２部材４２と、を有する。第１部材４１は、灯具２０に対して径方向に沿って移動可能であり、第２部材４２の内側には、第１部材４１を拡径する方向（外側）に付勢するＣ字状の取付ばね４４が設けられている。
このため、第１部材４１は、灯具２０から径方向に離れる方向に付勢されており、その結果第２部材４２は、前端が光軸ＢＭに近づくように傾斜した状態で、灯具２０から径方向に離れる。
これにより、第２部材４２は、天井面１１に設けられた取付孔１２の内周面上端部を押圧するので、天井材１１１の厚さが例えば２〜７ｍｍ程度と小さくても確実に取り付けることができる。
【００２６】
また、第２部材４２に取付ばね４４を係止する係止部４３を設けたので、取付ばね４４が脱落することなく、第１部材４１および第２部材４２を灯具２０から径方向に離れるように確実に付勢することができる。
【００２７】
さらに、取付ばね４４の両端部にＬ字状の折曲部４４１を設けたので、取付ばね４４を縮めて取り付ける際に、両折曲部４４１をつまんで容易に縮めることができる。
【００２８】
本発明の照明器具１０は、前述した実施形態に限定されるものでなく、適宜な変形、改良等が可能である。
すなわち、前述した実施形態では、全ての取付金具４０を取り付けた後に取付ばね４４を取り付ける手順について例示した。このほか、１個の取付金具４０を取り付けた後に取付ばね４４を取付け、その後、取付ばね４４を押し縮めながら残りの取付金具４０を順次取り付けることも可能である。
【符号の説明】
【００２９】
１０  照明器具
２０  灯具
４１  第１部材
４２  第２部材
４３  係止部
４４  取付ばね
４４１  折曲部
ＢＭ  光軸
【図１】
2014154319.tif 000003
【図２】
2014154319.tif 000004
【図３】
2014154319.tif 000005
【図４】
2014154319.tif 000006
【図５】
2014154319.tif 000007
【図６】
2014154319.tif 000008
【図７】
2014154319.tif 000009
【図８】
2014154319.tif 000010
【図９】
2014154319.tif 000011